(57)【要約】  【課題】携帯情報端末装置において、コストの低減を図る。  【解決手段】第１本体部１と第２本体部３と、第１本体部１と第２本体部３を接続する接続部２を備え、第１本体部１の一方の面は、接続部２を介して、第２本体部３と近接した状態に折りたたみ可能になっており、第１本体部１の一方の面には第１表示素子１aが設けられ、第１本体部１の他方の面には第２表示素子１ｂ１が設けられ、下記の条件を満足することを特徴とする携帯情報端末装置。      ２．２＜ＬA／ＬB＜８ここで、ＬAは第１表示部１aの対角長、ＬBは第２表示部１bの対角長である。【選択図】図１
2006157275.tif 000002
【特許請求の範囲】
【請求項１】
第１本体部と第２本体部と、前記第１本体部と前記第２本体部を接続する接続部を備え、前記第１本体部の一方の面は、前記接続部を介して、前記第２本体部と近接した状態に折りたたみ可能になっており、前記第１本体部の一方の面には第１表示素子が設けられ、前記第１本体部の他方の面には第２表示素子が設けられ、下記の条件を満足することを特徴とする携帯情報端末装置。
２．２＜ＬA／ＬB＜８
ここで、ＬAは前記第１表示部の対角長、ＬBは前記第２表示部の対角長である。
【請求項２】
第１本体部と第２本体部と、前記第１本体部と前記第２本体部を接続する接続部を備え、前記第１本体部の一方の面は、前記接続部を介して、前記第２本体部と近接した状態に折りたたみ可能になっており、前記第１本体部の一方の面には第１表示素子が設けられ、前記第１本体部の他方の面には第２表示素子が設けられ、下記の条件を満足することを特徴とする携帯情報端末装置。
２≦ＭA／ＭB＜４
ここで、ＭAは前記第１表示部の対角長、ＭBは前記第２表示部の対角長である。
【請求項３】
把持部、表示部及び取付部を備える本体部と、保持部材と、固定部材を備え、前記保持部材の一端が前記本体部に接続され、前記保持部材の他端が前記固定部材に接続され、前記固定部材は、前記本体部と所定の間隔以内で固定可能であることを特徴とする携帯情報端末装置。
【発明の詳細な説明】
【技術分野】
【０００１】
本発明は、液晶パネルなどの表示素子を有する携帯情報端末装置に関する。
【背景技術】
【０００２】
近年、一人の人間が複数のコンピュータを使用するネットワーク社会、いわゆるユビキタス・ネットワーク社会が提唱されている。ユビキタス・ネットワーク社会では、インターネット等の情報ネットワークに、いつでも、どこからでもアクセスできる環境が実現できる。このようなアクセスに使う携帯情報端末装置は、パソコンに限られず、例えば携帯電話等も用いることができる。
【０００３】
携帯電話の中には、折りたたみ式のものが提案されている（例えば、特許文献１）。ここでは、携帯電話１０は、メイン液晶画面１４及び背面液晶画面１５を備えている。また、このような携帯電話は小さいため、ポケットに入れることができる。その際、ポケットから容易に取り出せるように、磁石を利用した保持方法が提案されている（例えば、特許文献２）。
【特許文献１】特開２００３−２８３６０３号公報
【特許文献２】特開２０００−１８９２２７号公報
【発明の開示】
【発明が解決しようとする課題】
【０００４】
携帯電話等の携帯情報端末装置は、安価で、大量生産される。よって、できるだけ低いコストで製作できるのが好ましい。また、携帯電話において、素早く高解像な画像を見ることができるのが好ましい。また、使用者が、携帯電話を素早く把持できるのが好ましい。
【０００５】
本発明は、上記に鑑みてなされたものであって、携帯情報端末装置において、コストの低減を図ることを目的とする。また、携帯情報端末装置において、使用者が、高解像な画像を素早く見ることができるようにすることを目的とする。また、使用者が、素早く携帯情報端末装置を把持できるようにすることを目的とする。
【課題を解決するための手段】
【０００６】
上記目的を達成するため、本発明による携帯情報端末装置は、第１本体部と第２本体部と、前記第１本体部と前記第２本体部を接続する接続部を備え、前記第１本体部の一方の面は、前記接続部を介して、前記第２本体部と近接した状態に折りたたみ可能になっており、前記第１本体部の一方の面には第１表示素子が設けられ、前記第１本体部の他方の面には第２表示素子が設けられ、下記の条件を満足することを特徴とする。
２．２＜ＬA／ＬB＜８
ここで、ＬAは前記第１表示部の対角長、ＬBは前記第２表示部の対角長である。
また、本発明による別の携帯情報端末装置は、第１本体部と第２本体部と、前記第１本体部と前記第２本体部を接続する接続部を備え、前記第１本体部の一方の面は、前記接続部を介して、前記第２本体部と近接した状態に折りたたみ可能になっており、前記第１本体部の一方の面には第１表示素子が設けられ、前記第１本体部の他方の面には第２表示素子が設けられ、下記の条件を満足することを特徴とする。
２≦ＭA／ＭB＜４
ここで、ＭAは前記第１表示部の対角長、ＭBは前記第２表示部の対角長である。
また、本発明による別の携帯情報端末装置は、把持部、表示部及び取付部を備える本体部と、保持部材と、固定部材を備え、前記保持部材の一端が前記本体部に接続され、前記保持部材の他端が前記固定部材に接続され、前記固定部材は、前記本体部と所定の間隔以内で固定可能であることを特徴とする。
【発明の効果】
【０００７】
本発明によれば、携帯情報端末装置の製造において、コストの低減をすることができる。また、携帯情報端末装置において、使用者が、高解像な画像を素早く見ることができる。また、使用者が、素早く携帯情報端末装置を把持できる。
【発明を実施するための最良の形態】
【０００８】
以下、本発明の実施例について、図面を用いて説明する。
【実施例１】
【０００９】
図１に、実施例１の携帯情報端末装置を示す。実施例１の携帯情報端末装置１０は、表示部１（第１本体部）、接続部２、把持部３（第２本体部）、情報入力部４を有している。ここで、情報入力部４は、把持部３に設けられている。また、接続部は、表示部１と把持部３を開閉可能とするヒンジ構造を有している。
表示部１には、一方の面に表示面１ａが設けられている。また、表示部１の他方の面には、表示面１ｂが設けられている。表示面１ａは、表示部１と把持部３を閉じた場合に、情報入力部４と近接するように設けられている。ここで、表示面１ａは第１表示部であり、表示面１ｂは第２表示部である。
【００１０】
上記のような構成において、携帯情報端末装置１０は、以下の条件を満足する。
２．２＜ＬA／ＬB＜８
ここで、ＬAは前記第１表示部の対角長、ＬBは前記第２表示部の対角長である。
【００１１】
上記条件を満足すことで、視認性を損なうことなく、表示面１ｂ（第２表示部）の大きさを制限できる。よって、表示面１ｂを覆う透明保護部材を小さくできる。よって、製造コストの低減が実現できる。
【実施例２】
【００１２】
図２に、実施例２の携帯情報端末装置を示す。実施例１と同じ構成要素については、同じ番号を付し、説明は省略する。
【００１３】
上記のような構成において、携帯情報端末装置１０は、以下の条件を満足する。
２≦ＭA／ＭB＜４
ここで、ＭAは前記第１表示部の対角長、ＭBは前記第２表示部の対角長である。
【００１４】
上記条件を満足すことで、表示面１ｂ（第２表示部）の画素数を、表示面１ａ（第１表示部）の画素数に近づけられる。よって、折りたたみ状態でも、使用者は高解像な画像を見ることができる。
【実施例３】
【００１５】
図３に、実施例３の携帯情報端末装置を示す。実施例１と同じ構成要素については、同じ番号を付し、説明は省略する。本実施例では、携帯情報端末装置１０は、取付部５を備えている。この取付部５は、本体部１の一端、すなわち、表示面１ａ側の一端に設けられている。取付部５には、保持部材６が接続されている。また、表示面１ａと反対側の面には、金属部材８が埋め込まれている。
【００１６】
保持部材６は紐状の部材であって、端部６ａ、中央部６ｂ及び端部６ｃからなる。端部６ａは、２つに分かれた紐部材から構成されている。そして、端部６ａの先端のそれぞれは、取付部５ａ，５ｂに接続されている。また、端部６ｃも、２つに分かれた紐部材から構成されている。そして、端部６ｃの先端のそれぞれは、固定部材７に接続されている。ここで、固定部材７はマグネットである。また、中央部６ｂは、所定の幅を有する紐状部材で、使用者の首に掛けられる。よって、中央部６ｂは、使用者に不快感を与えない程度の幅と、素材で構成されている。
【００１７】
上記のような構成において、使用者が、携帯情報端末装置１０を装着した様子を、図４に示す。すなわち、使用者は、保持部材６の中央部６ｂが首に当接するように、保持部材６を装着する。そして、端部６ｃを、衣服９の内側に位置させる。この結果、固定部材７も衣服の内側に位置する。一方、使用者は、携帯情報端末装置１０を、衣服９の外側に位置させる。
このとき、金属部材８と固定部材がほぼ対向するように、端部６ａと端部６ｃの長さが設定されている。よって、携帯情報端末装置１０は、衣服９を挟んで、その位置が固定される。したがって、使用者が大きな動作をしても、携帯情報端末装置１０が移動することはない。
【００１８】
一方、携帯情報端末装置１０を使用する場合、使用者は、携帯情報端末装置１０を、体から離す方向に引けばよいだけである。このように、簡単に、携帯情報端末装置１０を使用することができる。
【図面の簡単な説明】
【００１９】
【図１】第１実施例にかかる携帯情報端末装置を示す図である。
【図２】第２実施例にかかる携帯情報端末装置を示す図である。
【図３】第３実施例にかかる携帯情報端末装置を示す図である。
【図４】使用者が第３実施例にかかる携帯情報端末装置を、装着した状態を示す図である。
【符号の説明】
【００２０】
１          表示部（第１本体部）
１ａ        表示面（第１表示部）
１ｂ        表示面（第２表示部）
２          接続部
３          把持部（第２本体部）
４          情報入力部
５          取付部
６          保持部材
６ａ，６ｃ  保持部材の端部
６ｂ        保持部材の中央部
７          固定部材
８          金属部材
９          使用者の衣服
１０        携帯情報端末装置
【図１】
2006157275.tif 000003
【図２】
2006157275.tif 000004
【図３】
2006157275.tif 000005
【図４】
2006157275.tif 000006